(57)【特許請求の範囲】
【請求項１】
装置本体に対して引出し可能であり、シートが載置されるトレイと、
上記トレイから上側へ湾曲した湾曲部分及び当該湾曲部分に連続する延出部分を有する第１搬送路と、
上記トレイからシートを上記第１搬送路へ供給する供給ローラと、
上記第１搬送路において上記供給ローラの搬送向き下流側に配置されており、シートを搬送する搬送ローラと、
上記第１搬送路において上記搬送ローラの上記搬送向き下流側に配置されており、上記第１搬送路の延出部分を搬送されるシートに画像を記録する記録部と、
上記第１搬送路の湾曲部分の外側を区画するとともに、上記湾曲部分を区画する第１位置、及び上記湾曲部分を開放する第２位置に切換可能な第１ガイド部材と、
上記第１搬送路の湾曲部分の内側を区画する第２ガイド部材と、
上記第１搬送路における上記記録部より上記搬送向きの下流側の上記延出部分、及び上記搬送ローラより上記搬送向き上流側の上記湾曲部分を接続する第２搬送路と、
上記第２搬送路において上側を区画する第３ガイド部材と、
上記第２搬送路の下側を区画するとともに、上記第２搬送路を区画する第３位置、及び当該第３位置より上記第３ガイド部材から下側へ離れた第４位置とに回動可能な第４ガイド部材と、
上記第４ガイド部材の回動先端側に設けられており、上記第４ガイド部材が上記第３位置であり、且つ上記第１ガイド部材が第１位置であるときに、上記第１ガイド部材に当接する第５位置、及び上記第１ガイド部材から離れた第６位置に移動可能な第５ガイド部材と、
上記トレイに設けられており、上記供給ローラよってシートを供給可能な上記トレイの位置において上記第４ガイド部材を上記第３位置に維持し、且つ、上記トレイが上記装置本体から引き出されることにより上記第４ガイド部材を上記第４位置に回動可能とする支持部と、
上記供給ローラによってシートを供給可能な上記トレイの位置において、上記トレイの先端側に設けられており、上記トレイから供給されたシートを上記第１搬送路へ案内する傾斜板と、を備えており、
上記第４ガイド部材が上記第４位置にあるときに、上記第５ガイド部材の回動先端は、上記傾斜板の上端より下側に位置する画像記録装置。
【請求項２】
上記第３位置にある上記第４ガイド部材の回動先端は、上記傾斜板の上端より下側に位置する請求項１に記載の画像記録装置。
【請求項３】
上記傾斜板に、シートの端に当接する分離凸片が設けられており、
上記第５ガイド部材は、上記分離凸片に対向する箇所に退避部が設けられており、上記第４ガイド部材が上記第４位置にあるときに、当該退避部によって上記分離凸片と非接触となる請求項１又は２に記載の画像記録装置。
【請求項４】
上記第２ガイド部材に、シートの搬送向きと直交する方向を軸として回転するコロが設けられており、
上記第６位置にある上記第５ガイド部材の回動先端は、上記コロの周面より上記第２ガイド部材側に位置する請求項１から３のいずれかに記載の画像記録装置。
【請求項５】
上記第３ガイド部材の一部分に、上記第４ガイド部材から離れる向きへ凹んだ案内部が設けられている請求項１から４のいずれかに記載の画像記録装置。
【請求項６】
上記案内部に、上記第４ガイド部材側へ突出して搬送向きに沿って延びるリブが設けられている請求項５に記載の画像記録装置。
【請求項７】
上記第１位置の上記第１ガイド部材の上記搬送向き下流側の先端は、上記搬送ローラの近傍に位置する請求項１から６のいずれかに記載の画像記録装置。
【請求項８】
上記トレイの下側に配置されており、シートが載置される下側トレイと、
上記下側トレイの先端から上記第１搬送路の湾曲部分よりも外側に沿って延びて、上記搬送ローラより上記搬送向き上流側の上記第１搬送路に接続された第３搬送路と、
上記第１ガイド部材と共に上記第３搬送路を構成し、当該第３搬送路の外側を区画するとともに、上記第３搬送路を区画する第７位置、及び上記第３搬送路を開放する第８位置に切換可能な第６ガイド部材と、を更に備えたものである請求項１から７のいずれかに記載の画像記録装置。
【請求項９】
上記第７位置の第６ガイド部材は、上記第１ガイド部材を上記第１位置に保持する請求項８に記載の画像記録装置。
【発明の詳細な説明】
【技術分野】
【０００１】
本発明は、シートの両面に画像記録ができる画像記録装置に関する。
【背景技術】
【０００２】
シートの両面に画像記録をする画像記録装置が知られている（特許文献１）。この画像記録装置では、トレイから供給されたシートをＵターンさせて記録部へ搬送して第１面に画像記録を行い、第１面に画像記録されたシートをスイッチバック搬送により再びＵターンさせて記録部へ搬送して第２面に画像記録を行う。画像記録装置においては、搬送路において詰まったシートを除去する処理、いわゆるジャム処理のために、搬送路の一部が開放されてアクセス可能となる。
【先行技術文献】
【特許文献】
【０００３】
【特許文献１】特開２０１１−１３６８３１号公報
【発明の概要】
【発明が解決しようとする課題】
【０００４】
しかし、搬送路を開放するには、搬送路を区画するガイド部材を回動可能や取り外し可能な構成にするので、可動なガイド部材と、他のガイド部材との間に隙間が生じる。このようなガイド部材間の隙間をシートが通過するときに、シートの挙動が不安定になりやすく、紙詰まりや異音の原因となり得る。特に、装置の小型化や薄型化のために、搬送路のＵターンの半径を小さくするほど、このような問題が生じやすい。
【０００５】
本発明は、前述された問題に鑑みてなされたものであり、その目的は、シートの両面に画像記録ができる画像記録装置において、搬送路の開放と、円滑な搬送とを実現する手段を提供することにある。
【課題を解決するための手段】
【０００６】
(1)  本発明に係る画像記録装置は、装置本体に対して引出し可能であり、シートが載置されるトレイと、上記トレイから上側へ湾曲した湾曲部分及び当該湾曲部分に連続する延出部分を有する第１搬送路と、上記トレイからシートを上記第１搬送路へ供給する供給ローラと、上記第１搬送路において上記供給ローラの搬送向き下流側に配置されており、シートを搬送する搬送ローラと、上記第１搬送路において上記搬送ローラの上記搬送向き下流側に配置されており、上記第１搬送路の延出部分を搬送されるシートに画像を記録する記録部と、上記第１搬送路の湾曲部分の外側を区画するとともに、上記湾曲部分を区画する第１位置、及び上記湾曲部分を開放する第２位置に切換可能な第１ガイド部材と、上記第１搬送路の湾曲部分の内側を区画する第２ガイド部材と、上記第１搬送路における上記記録部より上記搬送向きの下流側の上記延出部分、及び上記搬送ローラより上記搬送向き上流側の上記湾曲部分を接続する第２搬送路と、上記第２搬送路において上側を区画する第３ガイド部材と、上記第２搬送路の下側を区画するとともに、上記第２搬送路を区画する第３位置、及び当該第３位置より上記第３ガイド部材から下側へ離れた第４位置とに回動可能な第４ガイド部材と、上記第４ガイド部材の回動先端側に設けられており、上記第４ガイド部材が上記第３位置であり、且つ上記第１ガイド部材が第１位置であるときに、上記第１ガイド部材に当接する第５位置、及び上記第１ガイド部材から離れた第６位置に移動可能な第５ガイド部材と、を備えたものである。
【０００７】
第４ガイド部材が第４位置にされ、第１ガイド部材が第２位置にされると、第１搬送路及び第２搬送路へアクセス可能となる。これにより、第１搬送路及び第２搬送路のジャム処理が可能となる。シートに画像記録される状態では、第４ガイド部材が第３位置にされ、第５ガイド部材の回動先端側が第１ガイド部材と当接しているので、第５ガイド部材から第１ガイド部材へシートが移動するときに、ガイド面に隙間が生じない。また、トレイからシートが供給されると、第５ガイド部材の回動先端側が第１ガイド部材から離間してシートが第１搬送路を搬送される。
【０００８】
(2)  上記画像記録装置は、上記トレイに設けられており、上記供給ローラよってシートを供給可能な上記トレイの位置において上記第４ガイド部材を上記第３位置に維持し、且つ、上記トレイが上記装置本体から引き出されることにより上記第４ガイド部材を上記第４位置に回動可能とする支持部と、を更に備えたものであってもよい。
【０００９】
トレイを装置本体から引き出すことによって、第４ガイド部材が第３位置から第４位置に切り換わる。
【００１０】
(3)  上記画像記録装置は、上記供給ローラによってシートを供給可能な上記トレイの位置において、上記トレイの先端側に設けられており、上記トレイから供給されたシートを上記第１搬送路へ案内する傾斜板と、を更に備え、上記第４ガイド部材が上記第４位置にあるときに、上記第５ガイド部材の回動先端は、上記傾斜板の上端より下側に位置するものであってもよい。
【００１１】
第４ガイド部材が第４位置にあるときに、第５ガイド部材の回動先端が傾斜板の上端より下側まで下がることにより、第５ガイド部材の配置を低くして、装置の薄型化を実現するとともに、第２搬送路の開放を大きくすることができる。
【００１２】
(4)  上記第３位置にある上記第４ガイド部材の回動先端は、上記傾斜板の上端より下側に位置してもよい。
【００１３】
これにより、装置の更なる薄型化が実現される。
【００１４】
(5)  上記傾斜板に、シートの端に当接する分離凸片が設けられており、上記第５ガイド部材は、上記分離凸片に対向する箇所に退避部が設けられており、上記第４ガイド部材が上記第４位置にあるときに、当該退避部によって上記分離凸片と非接触となってもよい。
【００１５】
これにより、第５ガイド部材と分離凸片とを接触させずに、第５ガイド部材の回動先端を下げることができる。
【００１６】
(6)  上記第２ガイド部材に、シートの搬送向きと直交する方向を軸として回転するコロが設けられており、上記第６位置にある上記第５ガイド部材の回動先端は、上記コロの周面より上記第２ガイド部材側に位置してもよい。
【００１７】
第６位置において第５ガイド部材の回動先端が第２ガイド部材側にあるので、すなわち、第５回動部材の回動先端の位置にはコロが存在しないので、コロと第５ガイド部材の回動先端とが干渉せず、シートがコロにより円滑に搬送される。また、例えば、光沢紙のような搬送抵抗が大きいシートが第１搬送路を搬送されるときに、コロの回転によって搬送抵抗が軽減されるので、第１搬送路の湾曲半径を小さくしても、光沢紙などを円滑に搬送することができる。
【００１８】
(7)  上記第３ガイド部材の一部分に、上記第４ガイド部材から離れる向きへ凹んだ案内部が設けられていてもよい。
【００１９】
これにより、例えば、幅が狭く且つ長さが短いシートが、第２搬送路における搬送不良により第２搬送路に留まったとしても、そのシートを取り除くときの視認性がよくなる。また、そのシートを取り除くためにユーザが指などを入れるスペースが生じる。また、例えば、幅が短く厚みのあるシートが第２搬送路から第１搬送路の湾曲部分へ搬送されるときに、当該シートを案内部に通過させてシートの湾曲半径を大きくすることができる。
【００２０】
(8)  上記案内部に、上記第４ガイド部材側へ突出して搬送向きに沿って延びるリブが設けられていてもよい。
【００２１】
これにより、シートと第３ガイド部材との摺動抵抗を軽減することができる。
【００２２】
(9)  上記第１位置の上記第１ガイド部材の上記搬送向き下流側の先端は、上記搬送ローラの近傍に位置してもよい。
【００２３】
これにより、第１搬送路の湾曲部分の大部分が第１ガイド部材の姿勢変化により開放可能となる。
【００２４】
(10)  上記画像記録装置は、上記トレイの下側に配置されており、シートが載置される下側トレイと、上記下側トレイの先端から上記第１搬送路の湾曲部分よりも外側に沿って延びて、上記搬送ローラより上記搬送向き上流側の上記第１搬送路に接続された第３搬送路と、上記第１ガイド部材と共に上記第３搬送路を構成し、当該第３搬送路の外側を区画するとともに、上記第３搬送路を区画する第７位置、及び上記第３搬送路を開放する第８位置に切換可能な第６ガイド部材と、を更に備えたものであってもよい。
【００２５】
これにより、トレイを二段に構成すると共に、第１搬送路、第２搬送路及び第３搬送路へアクセス可能となる。
【００２６】
(11)  上記第７位置の第６ガイド部材は、上記第１ガイド部材を上記第１位置に保持するものであってもよい。
【発明の効果】
【００２７】
本発明によれば、第１ガイド部材及び第４ガイド部材の位置が切り換えられることにより、第１搬送路及び第２搬送路へのアクセスを可能にし、また、第５位置の第５ガイド部材の回動先端側を第１ガイド部材に当接させることにより、第１ガイド部材と第５ガイド部材との隙間を無くして円滑なシートの搬送を実現することができる。
【図面の簡単な説明】
【００２８】
【図１】図１は、本発明の実施形態に係る複合機１０を前方側から見た斜視図である。
【図２】図２は、プリンタ部１１の内部構成を示す断面図である。
【図３】図３は、カバー１６が閉じられた状態のプリンタ部１１の背面側を示す斜視図である。
【図４】図４は、供給トレイ２０が引き出された状態のプリンタ部１１を示す断面図である。
【図５】図５は、カバー１６及び第１ガイド部材３３が開かれた状態のプリンタ部１１の背面側を示す斜視図である。
【図６】図６は、カバー１６及び第１ガイド部材３３が開かれた状態のプリンタ部１１の正面側を示す斜視図である。
【図７】図７は、第５ガイド部材３７が第６位置となった状態のプリンタ部１１の断面図である。
【図８】図８は、本発明の変形例を示す模式図である。
【発明を実施するための形態】
【００２９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００３０】
［複合機１０］
図１に示されるように、複合機１０は、概ね直方体の外形をなす。複合機１０の下部にインクジェット記録方式のプリンタ部１１が設けられている。複合機１０は、ファクシミリ機能や、記録用紙（シートの一例）に画像を記録するプリント機能などの各種の機能を有している。なお、プリント機能以外の機能の有無は任意である。
【００３１】
以下の説明においては、複合機１０が使用可能に設置された状態（図１の状態）を基準として上下方向１０１が定義され、供給トレイ２０が装着された側を手前側（正面）として前後方向１０２が定義され、複合機１０を手前側（正面）から見て左右方向１０３が定義される。
【００３２】
プリンタ部１１は、筐体１４を有している。サイズ又は種類が異なる記録用紙を載置可能な供給トレイ２０が筐体１４に対し前後方向１０２にそれぞれ挿抜可能である。つまり、供給トレイ２０は、複合機１０に装着及び脱抜可能である。供給トレイ２０の上方側には、画像が記録された記録用紙が排紙される排紙トレイ７９が設けられている。筐体１４が装置本体に相当する。
【００３３】
図２，３に示されるように、複合機１０後方側の側面に第１ガイド部材３３が設けられている。第１ガイド部材３３は、図２，３に示される閉じられた状態から図４〜６に示される開かれた状態へ回動することで、第１搬送路６５を外部へ開放するものである。詳細は後述される。
【００３４】
［プリンタ部１１の構成］
図２に示されるように、プリンタ部１１は、供給トレイ２０から記録用紙をピックアップして給送する供給ローラ２５と、供給トレイ２０よりも上方に設けられており、記録用紙にインク滴を吐出して、記録用紙に画像を記録するインクジェット記録方式の記録部２４などを備えている。
【００３５】
［供給ローラ２５］
図２に示されるように、供給ローラ２５は、供給トレイ２０の上方において左右方向１０３を軸方向として設けられている。供給ローラ２５は、供給向き１０４へ延びており、供給向き１０４上流側を基軸として上下方向１０１へ先端が移動するアーム２６の先端に回転可能に支持されている。供給ローラ２５には、ギヤやベルトなどによる駆動伝達機構によって、モータの駆動力が伝達されて回転する。供給ローラ２５が回転することにより、供給トレイ２０に積載された複数枚の記録用紙のうち一番上の記録用紙が供給向き１０４へ送られる。
【００３６】
［記録部２４］
図２に示されるように、記録部２４は、供給トレイ２０の上方に配置されている。記録部２４は、キャリッジ２９及び記録ヘッド３０などを有している。キャリッジ２９は、左右方向１０３（図２の紙面と垂直な方向）へ延びて前後方向１０２に離れて配置された一対のガイドレール２８によって支持されている。キャリッジ２９は、モータから駆動伝達されて、ガイドレール２８に沿って左右方向１０３へ往復動する。
【００３７】
キャリッジ２９の下面側には、記録ヘッド３０が搭載されている。記録ヘッド３０は、キャリッジ２９と共に左右方向１０３へ移動動する過程において、複数のノズルからインク滴を選択的に吐出する。このインク滴が、プラテン３１に支持されている記録用紙に着弾することによって、記録用紙に画像が記録される。なお、記録部２４の記録方式は特に限定されず、例えば、記録部２４は、熱転写方式によって画像を記録するものであってもよい。
【００３８】
記録部２４の下方であって第１搬送路６５を挟んで記録部２４と対向する位置には、記録用紙を支持するプラテン３１が設けられている。プラテン３１は、記録ヘッド３０が移動する左右方向１０３に渡る支持面を有する。第１搬送路６５を搬送される記録用紙がプラテン３１に支持されて停止された状態で、記録ヘッド３０から吐出されるインク滴が記録用紙に着弾することによって、記録用紙に画像記録がなされる。
【００３９】
［搬送ローラ５１，５４，５７，６０］
図２に示されるように、接続位置６６と記録部２４との間には、第１搬送ローラ５１及びピンチローラ５２が設けられている。ピンチローラ５２は、第１搬送ローラ５１の下方において上下方向１０１へ移動可能に配置されており、バネなどの弾性部材によって第１搬送ローラ５１のローラ面に圧接されている。第１搬送ローラ５１は、モータからの駆動力が伝達されて回転する。供給トレイ２０から供給されて第１搬送路６５へ進入した記録用紙は、第１搬送ローラ５１とピンチローラ５２との間に狭持されて、第１搬送ローラ５１の回転を受けてプラテン３１へ向かって搬送向き１０５へ搬送される。
【００４０】
プラテン３１より搬送向き１０５下流側には、第２搬送ローラ５４及び拍車５５が設けられている。拍車５５は、第２搬送ローラ５４の上方において上下方向１０１へ移動可能に配置されており、バネなどの弾性部材によって第２搬送ローラ５４のローラ面に圧接されている。第２搬送ローラ５４は、モータからの駆動力が伝達されて回転する。記録部２４によって画像が記録された記録用紙は、第２搬送ローラ５４と拍車５５との間に狭持されて、搬送向き１０５へ搬送される。
【００４１】
第２ローラ対５６よりも搬送向き下流側であって、第１搬送路６５の搬送向き１０５下流端付近には、第３搬送ローラ５７及び拍車５８が設けられている。拍車５８は、第３搬送ローラ５７の上方において上下方向１０１へ移動可能に配置されており、バネなどの弾性部材によって第３搬送ローラ５７のローラ面に圧接されている。第３搬送ローラ５７は、モータからの駆動力が伝達されて回転する。第３搬送ローラ５７及び拍車５８は、記録用紙を狭持して搬送向き１０５の下流側へ搬送し、排紙トレイ７９へ排紙する。または、第３搬送ローラ５７及び拍車５８は、記録用紙を挟持して搬送向き１０５と逆向きに記録用紙を搬送する。
【００４２】
第２搬送路７０には、第４搬送ローラ６０及びピンチローラ６１が設けられている。ピンチローラ６１は、第４搬送ローラ６０の下方において上下方向１０１へ移動可能に配置されており、バネなどの弾性部材によって第４搬送ローラ６０のローラ面に圧接されている。第４搬送ローラ６０は、モータからの駆動力が伝達されて回転する。第４搬送ローラ６０及びピンチローラ６１は、記録用紙を狭持して第２搬送路７０における搬送向き１０６の下流側へ、すなわち接続位置６９から接続位置６６へ向かって記録用紙を搬送する。
【００４３】
［供給トレイ２０］
図２に示されるように、供給トレイ２０は、記録部２４及び供給ローラ２５の下方において、筐体１４に装着されている。また、図４に示されるように、供給トレイ２０は、筐体１４から手前側（図４における左側）へ引き出し可能である。供給トレイ２０は、記録用紙が載置される載置面２３を有している。載置面２３は、上方からの平面視において長方形状である。供給トレイ２０に載置される記録用紙は、サイズ又は種類が異なるものである。記録用紙の種類とは、たとえば、厚み、材質、又は表面加工などによる分類が挙げられる。供給トレイ２０の載置面２３に載置可能な記録用紙のサイズ又は種類は、当業者によって適宜決定される。供給トレイ２０の載置面２３における左右方向１０３の両側には側壁２１が設けられている。側壁２１は載置面２３から上方へ起立する壁である。後述される第４ガイド部材３６は、側壁２１の上端により第３位置に支持されている。側壁２１が支持部に相当する。
【００４４】
［傾斜板２２］
図２に示されるように、筐体１４の背面側には傾斜板２２が設けられている。傾斜板２２は、筐体１４に供給トレイ２０が装着された状態において、供給トレイ２０の奥側に位置して、載置面２３に載置された記録用紙の先端側に露出されている。傾斜板２２は、後方側ほど上方に位置するように傾斜されている。傾斜板２２は、記録用紙の搬送向き１０５下流端側を上方へ向かわせて、第１搬送路６５へ案内するものである。傾斜板２２の左右方向１０３の中央には、給送向き１０４に沿って複数が並べられて分離凸片２７が設けられている。分離凸片２７は、傾斜板２２から載置面２３側へ突出する板バネ状のものである。傾斜板２２に沿って第１搬送路６５へ案内される記録用紙が、複数枚が重なり合った状態であっても、分離凸片２７に複数枚の記録用紙の先端が当接することによって捌かれて、最も上側の記録用紙のみが第１搬送路６５へ供給される。
【００４５】
［第１搬送路６５］
図２に示されるように、プリンタ部１１の内部には、傾斜板２２から記録部２４を経て排紙トレイ７９に至る第１搬送路６５が形成されている。第１搬送路６５は、湾曲部分６７と延出部分６８とに区分される。湾曲部分６７は、傾斜板２２から第１搬送ローラ５１へ至る間に形成されている。延出部分６８は、第１搬送ローラ５１から記録部２４を経て排紙トレイ７９へ至る間に形成されている。
【００４６】
湾曲部分６７は、傾斜板２２から第１搬送ローラ５１へ至るまでの横向きＵ字形状の湾曲状の通路である。供給トレイ２０から供給された記録用紙は、湾曲部分６７に沿って案内されて、搬送向き１０５下流側が上方へ持ち上げられた後、前方側へＵターンされる。
【００４７】
湾曲部分６７は、湾曲部分６７を隔てて対向する第１ガイド部材３３と第２ガイド部材３４とによって区画されている。湾曲部分６７の外側に第１ガイド部材３３が配置されており、内側に第２ガイド部材３４が配置されている。
【００４８】
延出部分６８は、第１搬送ローラ５１から記録部２４を経て排紙トレイ７９へ至る、前後方向１０２に沿った直線状の通路である。延出部分６８において、記録部２４、プラテン３１、第１ローラ対５３、第２ローラ対５６、及び第３ローラ対５９が設けられていない箇所には、適宜ガイド部材が配置されている。
【００４９】
［第２搬送路７０］
図２に示されるように、第１搬送路６５の接続位置６６，６９には、第２搬送路７０が接続されている。接続位置６６は、第１搬送路６５の湾曲部分６７における傾斜板２２と第１搬送ローラ５１との間であり、また、接続位置６９は、第１搬送路６５の延出部分６８における第２搬送ローラ５４と第３搬送ローラ５７との間である。第２搬送路７０は、接続位置６９から接続位置６６へ向かって下方へ降下するように斜め下向きに形成されている。
【００５０】
第２搬送路７０は、上下方向１０１に対向する第３ガイド部材３５と第４ガイド部材３６とによって区画されている。第２搬送路７０の上側に第３ガイド部材３５が配置されている。第２搬送路７０の下側に第４ガイド部材３６が配置されている。第４ガイド部材３６における接続位置６６側には、第５ガイド部材３７が設けられている。第５ガイド部材３７は、第４ガイド部材３６に対して回動自在である。
【００５１】
［カバー１６］
図２〜７に示されるように、筐体１４の背面の一部に開口１７が形成されている。開口１７は、左右方向１０３において傾斜板２２と同等の長さであり、上下方向１０１において、傾斜板２２の上端から第１搬送ローラ５１までの距離と同程度である。開口１７はカバー１６により開閉可能である。各図には現れていないが、カバー１６は、その下端側において左右方向１０３へ突出された支軸が筐体１４に回動自在に支持されることによって、筐体１４に組み付けられている。カバー１６は、開口１７を閉じた状態において、第１搬送路６５の湾曲部分６７の外側に位置する。カバー１６が回動されて開口１７が開放されると、開口１７を通じて第１ガイド部材３３が露出される。
【００５２】
［第１ガイド部材３３］
図２〜７に示されるように、第１ガイド部材３３は、第１搬送路６５の湾曲部分６７を区画する第１ガイド面３８を有する。第１ガイド面３８は、第１搬送路６５の湾曲部分６７の外側を区画する。第１ガイド面３８は、左右方向１０３において傾斜板２２と同等の長さを有している。第１ガイド面３８は、必ずしも平滑な面である必要はなく、記録用紙との摩擦を低減するために搬送向き１０５に沿って延びるリブが適宜形成されていてもよい。
【００５３】
第１ガイド部材３３の下端付近の左右方向１０３の両側には、支軸３９が設けられている。支軸３９は、第１ガイド部材３３から左右方向１０３に沿ってそれぞれ突出している。支軸３９が、筐体１４に回転自在に支持されることによって、第１ガイド部材３３が筐体１４に回動可能に組み付けられている。第１ガイド部材３３が筐体１４に対して回動する範囲の両端を第１位置及び第２位置と称する。
【００５４】
図２，３に示されるように、第１位置は、第１ガイド部材３３が第１搬送路６５の湾曲部分６７を区画する位置である。第１位置にある第１ガイド部材３３は、支軸３９を下端として上方へ起立する状態である。この状態において、第１ガイド面３８は、概ね筐体１４の前方側を向いており、その上端が第１搬送ローラ５１付近に位置し、その下端が傾斜板２２の上端付近に位置する。
【００５５】
図４〜６に示されるように、第２位置は、第１ガイド部材３３が筐体１４の外側（後方側）へ開かれた位置である。カバー１６が開かれた状態において、第１ガイド部材３３は、支軸３９を中心に第１位置から第２位置まで回動することによって、湾曲部分６７を開口１７を通じて外部へ開放する。第１ガイド部材３３の回動範囲の限界は、たとえば、筐体１４との当接によって決定される。
【００５６】
［第２ガイド部材３４］
図２〜７に示されるように、第２ガイド部材３４は、第１搬送路６５の湾曲部分６７を区画する第２ガイド面４１を有する。第２ガイド面４１は、第１搬送路６５の湾曲部分６７の内側を区画する。第２ガイド面４１は、左右方向１０３において傾斜板２２と同等の長さを有している。第２ガイド面４１は、必ずしも平滑な面である必要はなく、記録用紙との摩擦を低減するために搬送向き１０５に沿って延びるリブが適宜形成されていてもよい。第２ガイド面４１の下端は接続位置６６近傍であり、上端は第１搬送ローラ５１付近である。
【００５７】
図２，４，５に示されるように、第２ガイド部材３４は、第２ガイド面４１から一部が露出された複数のコロ４２を有する。コロ４２は、左右方向１０３を軸方向として第２ガイド部材３４に回転自在に支持されている。複数のコロ４２は、左右方向１０３に離れた位置に同軸となるように配置されている。また、複数のコロ４２は、搬送向き１０５に沿って並べられている。各コロ４２の外周面の一部が第２ガイド面４１から突出されている。第２ガイド面４１に沿って搬送される記録用紙は、コロ４２と接触する。このとき、コロ４２が、記録用紙の搬送につられて回転することにより、記録用紙と第２ガイド面４１との摩擦が低減される。
【００５８】
［第３ガイド部材３５］
図２〜７に示されるように、第３ガイド部材３５は、第２搬送路７０の上側部分を区画する第３ガイド面４３を有する。第３ガイド面４３は、左右方向１０３において傾斜板２２と同等の長さを有している。第３ガイド面４３は、必ずしも平滑な面である必要はなく、記録用紙との摩擦を低減するために搬送向き１０６に沿って延びるリブが適宜形成されていてもよい。第３ガイド面４３の一方端は接続位置６９近傍であり、他方端は接続位置６６近傍である。
【００５９】
図５に示されるように、第３ガイド面４３における接続位置６６近傍において、左右方向１０３の中央には、上側へ凹んだ凹部４４が形成されている。凹部４４は、左右方向１０３の幅が狭く、かつ厚みのある記録用紙が通過する部分である。凹部４４によって、第３ガイド面４３における接続位置６６付近の湾曲が緩やかに、すなわち湾曲半径が大きくなるので、幅が狭く厚みのある記録用紙を小さく湾曲させずに案内することができる。凹部４４においても、搬送向き１０６に沿って延びるリブ４５が設けられており、リブ４５によって記録用紙との摺動摩擦が軽減されている。凹部４４が案内部に相当する。
【００６０】
［第４ガイド部材３６］
図２〜７に示されるように、第４ガイド部材３６は、第２搬送路７０の下側部分を区画する第４ガイド面４６を有する。第４ガイド面４６は、左右方向１０３において傾斜板２２と同等の長さを有している。第４ガイド面４６は、必ずしも平滑な面である必要はなく、記録用紙との摩擦を低減するために搬送向き１０６に沿って延びるリブが適宜形成されていてもよい。第４ガイド面４６の一方端は接続位置６９近傍であり、他方端は接続位置６６近傍である。
【００６１】
第４ガイド部材３６において、接続位置６９付近の左右方向１０３の両側には、支軸４７が設けられている。支軸４７は、第４ガイド部材３６から左右方向１０３に沿ってそれぞれ突出している。支軸４７が、筐体１４又は内部フレーム１５に回転自在に支持されることによって、第４ガイド部材３６が筐体１４内において回動可能に組み付けられている。第４ガイド部材３６が回動する範囲の両端を第３位置及び第４位置と称する。
【００６２】
図２，３に示されるように、第３位置は、第４ガイド部材３６が第２搬送路７０を区画する位置である。第３位置にある第４ガイド部材３６は、支軸４７と反対側の接続位置６６付近の先端が、傾斜板２２の上端より若干下側に位置する。同図に示されるように、第４ガイド部材３６の左右方向１０３の両端側の下面が、供給トレイ２０の側壁２１に支持されることによって、第４ガイド部材３６が第３位置に保持される。
【００６３】
図４〜６に示されるように、第４位置は、第４ガイド部材３６が、第３位置よりも下側へ第３ガイド部材３５から離れた位置である。第４ガイド部材３６は、支軸４７を中心に第３位置から第４位置まで回動することによって、第２搬送路７０を、第１搬送路６５の湾曲部分６７を介して外部へ開放する。第４ガイド部材３６の回動範囲の限界は、たとえば、第４ガイド部材３６が筐体１４や複合機１０の載置面と当接することによって決定される。同図に示されるように、筐体１４から供給トレイ２０が引き出されて、第４ガイド部材３６の下方に側壁２１が存在しなくなると、第４ガイド部材３６は、自重によって第３位置から第４位置へ回動する。第４位置にある第４ガイド部材３６は、支軸４７と反対側の接続位置６６付近の先端が、傾斜板２２の下端付近に位置する。
【００６４】
［第５ガイド部材３７］
図２〜７に示されるように、第５ガイド部材３７は、第２搬送路７０の下側部分を区画する第５ガイド面４８を有する。第５ガイド面４８は、左右方向１０３に渡って拡がる面であり、左右方向１０３において相互に離間されて複数が配置されている。第５ガイド部材３７は、第５ガイド面４８と反対側に、第１搬送路６５の湾曲部分６７を区画する第６ガイド面４９を有する。第６ガイド面４９は、第１ガイド部材３３の第１ガイド面３８に対向しており、第１ガイド面３８と同じ湾曲向きに湾曲している。第５ガイド面４８及び第６ガイド面４９は、必ずしも平滑な面である必要はなく、記録用紙との摩擦を低減するために搬送向き１０６に沿って延びるリブが適宜形成されていてもよい。
【００６５】
図６に示されるように、第４ガイド部材３６における左右方向１０３の中央であって傾斜板２２の分離凸片２７に対応する位置には、第５ガイド部材３７が存在しない。この第５ガイド部材３７が存在しない箇所が、退避部に相当する。なお、本実施形態では、分離凸片２７に対応する箇所において、第５ガイド部材３７が存在しない箇所が退避部と称されているが、左右方向１０３に渡って第５ガイド部材３７が存在しており、第６ガイド面４９において第５ガイド面４８側へ凹む凹部が、退避部として分離凸片２７に対応する箇所に形成されていてもよい。
【００６６】
各図には現れていないが、第５ガイド部材３７において、接続位置６９側となる左右方向１０３の両側には支軸が設けられている。この支軸が第４ガイド部材３６に回転自在に支持されることによって、第５ガイド部材３７が第４ガイド部材３６に回動可能に組み付けられている。第５ガイド部材３６が回動する範囲の両端を第５位置及び第６位置と称する。
【００６７】
図２に示されるように、第５位置は、第５ガイド部材３７の回動先端が第１ガイド部材３３と当接する位置である。同図に示されるように、第４ガイド部材３６が第３位置であるときに、第５ガイド部材３７の先端が、第１位置の第１ガイド部材３３に支持されることによって、第５ガイド部材３７が第５位置に保持される。なお、第５位置における第５ガイド部材３７の回動先端は、第１ガイド部材３３の面と当接していてもよいし、第１ガイド部材３３に設けられたリブなどに当接していてもよい。
【００６８】
図７に示されるように、第６位置は、第５ガイド部材３７の回動先端が第１ガイド部材３３から離れた位置である。同図に示されるように、第４ガイド部材３６が第３位置であるときに、第５ガイド部材３７に下方から記録用紙が当接することによって、第５ガイド部材３７が第５位置から第６位置へ回動される。第６位置における第５ガイド部材３７の回動先端は、第２ガイド部材３４に設けられたコロ４２の周面より第２ガイド部材３４側に位置する。すなわち、第６位置の第５ガイド部材３７の回動先端がある位置には、コロ４２が存在しない。
【００６９】
図４に示されるように、第４ガイド部材３６が第４位置となると、第５ガイド部材３７も第４ガイド部材３６と共に下方へ移動する。このとき、第５ガイド部材３７の回動先端は、傾斜板２２の上端より下側に位置する。また、このときに第５ガイド部材３７は、傾斜板２２に当接するが、傾斜板２２の分離凸片２７に対応する位置には第５ガイド部材３７が存在しないので、第５ガイド部材３７が分離凸片２７に接触することはない。
【００７０】
［画像記録動作］
図２，３に示されるように、記録用紙の片面に画像記録が行われる際、カバー１６は開口１７を閉じた状態にあり、第１ガイド部材３３は第１位置にある。そして、筐体１４には供給トレイ２０が装填されており、供給トレイ２０の側壁２１に支持されて、第４ガイド部材３６が第３位置にある。また、第５ガイド部材３７は、第５位置にある。
【００７１】
プリンタ部１１は、印刷開始の指示を受け付けて、供給ローラ２５、第１搬送ローラ５１、第２搬送ローラ５４，第３搬送ローラ５７及び第４搬送ローラ６０を予め定められたタイミングで駆動する。供給ローラ２５が回転されると、供給トレイ２０において最上位置の記録用紙が供給向き１０４へ送られる。記録用紙は、傾斜板２２によって第１搬送路６５へ案内される。
【００７２】
第１搬送路６５の湾曲部分６７に沿って湾曲されながら搬送される記録用紙は、接続位置６６において、その先端が第５位置の第５ガイド部材３７の第６ガイド面４９に当接する。記録用紙の先端は、第６ガイド面４９によって第１ガイド面３８側へ案内され、第１ガイド面３８付近において、第５ガイド部材を押し上げる。これにより、図７に示されるように、第５ガイド部材３７は第５位置から第６位置へ向かって回動して、第１ガイド面３８と第５ガイド部材３７の回動先端との間に記録用紙が通過可能な隙間が生じる。この隙間を記録用紙が通過する。なお、記録用紙が通過すると、第５ガイド部材３７は、自重により第６位置から第５位置へ回動する。
【００７３】
第１搬送路６５の湾曲部分６７を記録用紙が通過すると、記録用紙の先端が第１搬送ローラ５１及びピンチローラ５２に挟まれて、プラテン３１上へ搬送される。プラテン３１上において頭出しがされた記録用紙は、搬送が一時停止され、その停止された間にキャリッジ２９と共に記録ヘッド３０が左右方向１０３に移動しながら、プラテン３１上の記録用紙に向かってインク滴を吐出する。このような搬送の停止と、インク滴の吐出が繰り返されて記録用紙に画像記録がなされる。
【００７４】
第１搬送路６５の延出部分６８を搬送向き１０５へ進む記録用紙は、第２搬送ローラ５４及び拍車５５、第３搬送ローラ５７及び拍車５８に順次挟まれて搬送される。そして、画像記録を終えると、第２搬送ローラ５４及び第３搬送ローラ５７が連続して回転されて、記録用紙が第１搬送路６５の延出部分６８から排紙トレイ７９へ排出される。
【００７５】
記録用紙の両面に画像記録が行われるときも、記録用紙の第１面への画像記録は片面の場合と同様である。そして、記録用紙の第１面への画像記録を終えた後、プリンタ部１１は、第２搬送ローラ５４及び第３搬送ローラ５７が連続して回転して、記録用紙の後端側が、接続位置６９を通過し、かつ第３搬送ローラ５７及び拍車５８に挟まれている状態において、第３搬送ローラ５７を停止する。そして、第３搬送ローラ５７が逆向きに回転される。これにより、記録用紙は、搬送向き１０５上流端を先端として、接続位置６９へ向かって搬送向き１０５と逆向きに搬送される。
【００７６】
接続位置６９へ到達した記録用紙は、第１搬送路６５から第２搬送路７０へ進入する。なお、本実施形態においては、接続位置６９において記録用紙を案内するフラップが省略されているが、接続位置６９において記録用紙の案内方向を定めるべく回動可能なフラップを設けることによって、記録用紙が第１搬送路６５から第２搬送路７０へ案内されるように構成されていてもよい。
【００７７】
第２搬送路７０へ進入して搬送向き１０６へ搬送される記録用紙は、第４搬送ローラ６０及びピンチローラ６１に挟まれて接続位置６６へ搬送される。記録用紙の先端が接続位置６６に到達すると、第５位置の第５ガイド部材３７の第５ガイド面４８によって、記録用紙が第１搬送路６５の湾曲部分６７において搬送向き１０５へ案内される。そして、第２面を記録ヘッド３０に対向させて延出部分６８を搬送向き１０５へ搬送される。このときに、第１面への画像記録と同様にして、第２面へ画像記録が行われる。第１面及び第２面に画像記録が行われた記録用紙は、第１搬送路６５の延出部分６８から排紙トレイ７９へ排出される。
【００７８】
［記録用紙の除去の手順］
第２搬送路７０において搬送不良となった記録用紙を除去するときには、図４〜６に示されるように、カバー１６が回動されて開口１７が開かれる。そして、開口１７を通じて外部へ露出された第１ガイド部材３３が第１位置から第２位置へ回動される。これにより、第１搬送路６５の湾曲部分６７が外部へ開放される。仮に、第１搬送路６５の湾曲部分６７において記録用紙の搬送不良が生じているのであれば、ここまでの操作によって、湾曲部分６７から記録用紙を取り除くことができる。
【００７９】
また、筐体１４から供給トレイ２０が引き出されると、供給トレイ２０の側壁２１に支持されていた第４ガイド部材３６が第３位置から第４位置へ回動する。これにより、第２搬送路７０において第３ガイド部材３５と第４ガイド部材３６とが大きく離間され、かつ、開口１７及び開放された湾曲部分６７を介して、第２搬送路７０が外部へ開放される。したがって、開口１７及び開放された湾曲部分６７を介して、第２搬送路７０から記録用紙を取り除くことができる。
【００８０】
なお、記録用紙を除去した後は、前述と逆の操作を行うことにより、カバー１６が開口１７を閉じた状態にされ、第１ガイド部材３３が第１位置にされる。そして、筐体１４に供給トレイ２０が装填され、供給トレイ２０の側壁２１に支持されて、第４ガイド部材３６が第３位置とされる。
【００８１】
［本実施形態の作用効果］
本実施形態によれば、第１ガイド部材３３及び第４ガイド部材３６の位置が切り換えられることにより、第１搬送路６５の湾曲部分６７及び第２搬送路７０へのアクセスが可能となり、記録用紙の除去が可能となる。また、第５位置の第５ガイド部材３７の回動先端側を第１ガイド部材３３に当接させることにより、第１ガイド面３８と第５ガイド部材３７との隙間を無くして、第２搬送路７０から第１搬送路６５の湾曲部分６７へ円滑に記録用紙を搬送することができる。
【００８２】
また、供給トレイ２０が筐体１４から引き出されることによって、第４ガイド部材３６が第３位置から第４位置に切り換わる。第４ガイド部材３６が第４位置にあるときに、第５ガイド部材３７の回動先端が傾斜板２２の上端より下側まで下がることにより、第５ガイド部材３７の配置を低くして、プリンタ部１１の薄型化を実現するとともに、第２搬送路７０の開放を大きくすることができる。
【００８３】
また、第３位置にある第４ガイド部材３６の回動先端が、傾斜板２２の上端より下側に位置するので、プリンタ部１１の更なる薄型化が実現される。
【００８４】
また、第５ガイド部材３７が、分離凸片２７に対向する箇所に設けられていないので、第４ガイド部材３６が第４位置にあるときに、第５ガイド部材３７と分離凸片２７とを接触させずに、第５ガイド部材３７の回動先端を下げることができる。
【００８５】
また、第６位置にある第５ガイド部材３７の回動先端は、第２ガイド部材３４に設けられたコロ４２より第２ガイド部材３４側に位置するので、コロ４２と第５ガイド部材３７の回動先端とが干渉せず、コロ４２の回転によって記録用紙が円滑に搬送される。
【００８６】
また、第３ガイド部材３５の左右方向１０３の中央に、第４ガイド部材３６から離れる向きへ凹んだ凹部４４が設けられているので、例えば、幅が狭く且つ長さが短い記録用紙が第２搬送路７０において搬送不良により留まったときに、留まった記録用紙を視認しやすくなる。また、留まった記録用紙を取り除くためにユーザが指を入れるスペースが生じる。また、幅が短く厚みのある記録用紙が第２搬送路７０から第１搬送路６５の湾曲部分６７へ搬送されるときに、記録用紙を凹部４４に通過させて記録用紙の湾曲半径を大きくすることができる。
【００８７】
また、凹部４４に、第４ガイド部材３６側へ突出するリブ４５が設けられているので、記録用紙と第３ガイド部材３５との摺動抵抗を軽減することができる。
【００８８】
また、第１位置の第１ガイド部材３３の搬送向き１０５下流側の先端が、第１搬送ローラ５１の近傍に位置するので、第１搬送路６５の湾曲部分６７の大部分が第１ガイド部材３３の姿勢変化により開放可能である。
【００８９】
［変形例］
前述された実施形態では、１つの供給トレイ２０がプリンタ部１１に設けられているが、更に、別の供給トレイ８０がプリンタ部１１に設けられていてもよい。
【００９０】
図８に示されるように、供給トレイ８０は、供給トレイ２０の下側に配置されている。供給トレイ８０は、供給トレイ２０と同様に、複数枚の記録用紙が載置されるものであり、筐体１４に対して引き出し可能である。同図には、簡略して表されているが、供給トレイ８０の上側には供給ローラ８１が設けられている。供給ローラ８１は、供給ローラ２５と同様に、モータからの駆動力により回転されて供給トレイ８０における最上位置の記録用紙を供給向き１０４へ供給するものである。また、供給トレイ８０の背面側には、傾斜板２２と同様の傾斜板８２が設けられている。傾斜板８２は、供給トレイ８０から供給された記録用紙を、第３搬送路８３へ案内するものである。供給トレイ８０が下側トレイに相当する。
【００９１】
図８に示されるように、第３搬送路８３は、第１搬送路６５の湾曲部分６７の湾曲外側において、傾斜板８２の上端付近から第１搬送ローラ５１へ至るまでの横向きＵ字形状の湾曲状の通路である。第３搬送路８３の搬送向き１０５の下流端は、第１搬送ローラ５１より上流側において第１搬送路６５の湾曲部分６７に接続されている。供給トレイ８０から供給された記録用紙は、第３搬送路８３に沿って案内されて、搬送向き１０５下流側が上方へ持ち上げられた後、前方側へＵターンされる。そして、第３搬送路８３から第１搬送路６５へ進入する。
【００９２】
第３搬送路８３は、第１ガイド部材３３と第６ガイド部材８４とによって区画されている。湾曲内側に第１ガイド部材３３が配置されており、外側に第６ガイド部材８４が配置されている。第１ガイド部材３３において第１ガイド面３８の反対側には、第７ガイド面５０が形成されている。第６ガイド部材８４は、第７ガイド面５０と対向する第８ガイド面８５を有する。なお、第７ガイド面５０は、必ずしも平滑な面である必要はなく、記録用紙との摩擦を低減するために搬送向き１０５に沿って延びるリブが適宜形成されていてもよい。
【００９３】
第６ガイド部材８４は、カバー１６の内側に支持されており、カバー１６と共に筐体１４に対して回動される。カバー１６が開口１７を閉じている状態において、第６ガイド部材８４は、第３搬送路８３を区画する。このときの第３ガイド部材８４の位置が第７位置と称される。カバー１６が開口１７を開いている状態において、第６ガイド部材８４は、第３搬送路８３を開放する。このときの第６ガイド部材８４の位置が第８位置と称される。
【００９４】
第７位置の第６ガイド部材８４の上端における左右方向１０３の両端は、第１位置の第１ガイド部材３３に当接している。この当接によって、第１ガイド部材３３が第１位置に保持されている。
【００９５】
本変形例においても、カバー１６が開かれる操作によって第６ガイド部材８４が第７位置から第８位置へ切り換えられることにより、第３搬送路８３が開放される。そして、前述された実施形態と同様に操作されることによって、第１ガイド部材３３及び第４ガイド部材３６の位置が切り換えられて、第１搬送路６５の湾曲部分６７及び第２搬送路７０へのアクセスが可能となる。
【符号の説明】
【００９６】
１１・・・プリンタ部（画像記録装置）
１４・・・筐体（装置本体）
２０・・・供給トレイ（トレイ）
２１・・・側壁（支持部）
２２・・・傾斜板
２４・・・記録部
２５・・・供給ローラ
２７・・・分離凸片
３３・・・第１ガイド部材
３４・・・第２ガイド部材
３５・・・第３ガイド部材
３６・・・第４ガイド部材
３７・・・第５ガイド部材
４２・・・コロ
４４・・・凹部（案内部）
４５・・・リブ
５１・・・第１搬送ローラ
６５・・・第１搬送路
６７・・・湾曲部分
６８・・・延出部分
７０・・・第２搬送路
８０・・・供給トレイ（下側トレイ）
８３・・・第３搬送路
８４・・・第６ガイド部材
【図１】
0005942568.tif 000002
【図２】
0005942568.tif 000003
【図３】
0005942568.tif 000004
【図４】
0005942568.tif 000005
【図５】
0005942568.tif 000006
【図６】
0005942568.tif 000007
【図７】
0005942568.tif 000008
【図８】
0005942568.tif 000009